(57)【特許請求の範囲】
【請求項１】
物体を吊り下げて上下方向に案内可能な案内部と、
前記物体を上昇させる付勢力を前記案内部に入力する付勢部と、
を備える吊り下げ装置であって、
第一の入力および第二の入力を入力可能な入力部と、
前記入力部への前記第一の入力によって前記案内部に係合して前記物体の上昇を阻止するとともに前記第一の入力を前記物体を下降させる力として前記案内部に伝達し、一方、前記入力部への前記第二の入力によって前記案内部から離間して前記第二の入力を前記案内部に伝達せず前記物体の上下方向の移動を許容する伝達部と、
を特徴とする吊り下げ装置。
【請求項２】
請求項１に記載の吊り下げ装置において、
前記案内部は、前記物体を吊り下げ可能なロープが巻回され、前記ロープを引き出す前記引出方向および前記ロープを巻き取る巻取方向へ回転可能なドラムを有し、
前記付勢部は、前記巻取方向へ前記ドラムを付勢して回転させることで前記物体を上昇させる付勢力を発揮し、
前記伝達部は、前記入力部への前記第一の入力によって前記ドラムに係合して前記ドラムの前記巻取方向への回転を阻止するとともに前記第一の入力を前記ドラムを前記引出方向へ回転させる力として前記ドラムに伝達し、前記入力部への前記第二の入力によって前記ドラムから離間して前記第一の入力を前記ドラムに伝達せず前記ドラムの前記引出方向への回転および前記巻取方向への回転を許容すること
を特徴とする吊り下げ装置。
【請求項３】
請求項１または請求項２の何れか１項に記載の吊り下げ装置において、
前記入力部は、回転可能であり、前記第一の入力が一方の方向への回転として入力されるとともに前記第二の入力が他方の方向への回転として入力されること
を特徴とする吊り下げ装置。
【請求項４】
請求項１〜請求項３の何れか１項に記載の吊り下げ装置において、
前記伝達部は、
前記第一の入力を所定の比率で減速して前記案内部に伝達する入力減速部を有すること
を特徴とする吊り下げ装置。
【請求項５】
請求項１〜請求項４の何れか１項に記載の吊り下げ装置において、
前記物体の上昇速度が大きくなると制動力を発揮して減速させる遠心式ブレーキを備えることを特徴とする吊り下げ装置。
【発明の詳細な説明】
【技術分野】
【０００１】
本発明は、吊り下げた物体を上下方向に移動させる吊り下げ装置に関する。
【背景技術】
【０００２】
従来より、自動車用ドアなどの重量物を吊り下げて上下方向に移動させる吊り下げ装置が知られている。
例えば、吊り下げ装置の一例としてホイスト装置が挙げられる。
【０００３】
この種のホイスト装置は、電動機に回転駆動される巻胴と、巻胴を囲う枠体と、一端が巻胴に係合するとともに他端が枠体に支持部材を介して吊持されるワイヤロープに吊持されるフックブロックと、を備え、巻胴の正転および逆転によってフックブロックが上下動するよう構成され、重量物をフックブロックに吊り下げて上下動させるとともに任意の位置で停止させることができるようになっている（例えば、特許文献１参照。）。
【先行技術文献】
【特許文献】
【０００４】
【特許文献１】特開昭５８−１４８１９２号公報（第１頁、図１）
【発明の概要】
【発明が解決しようとする課題】
【０００５】
しかし、上述のようなホイスト装置においては、重量物をフックブロックに吊り下げて上下動させるとともに任意の位置で停止させるために、巻胴を回転駆動する電動機を備えるため、次の（１）〜（３）のような問題があった。
【０００６】
（１）電動機を作動させるために電力が必要であり、電動機に電力を供給する電源、電動機を操作するための操作スイッチなども必要であった。
（２）電動機や、電源、操作スイッチなどを備えるために、製造費用や設置費用、電気代、維持費用などのコストが高くなっていた。
【０００７】
（３）操作スイッチを作業者の手元に配置するため、操作スイッチを枠体から吊り下げておく必要があった。
本発明は、このような課題に鑑みなされたものであり、その目的とするところは、電動機を備えなくとも、電動機を備えるホイスト装置の特徴である重量物の上下動および任意位置での停止を可能とする吊り下げ装置を提供することにある。
【課題を解決するための手段】
【０００８】
上記課題を解決するためになされた請求項１に係る吊り下げ装置は、物体を吊り下げて上下方向に案内可能な案内部と、前記物体を上昇させる付勢力を前記案内部に入力する付勢部と、を備える吊り下げ装置であって、第一の入力および第二の入力を入力可能な入力部と、前記入力部への前記第一の入力によって前記案内部に係合して前記物体の上昇を阻止するとともに前記第一の入力を前記物体を下降させる力として前記案内部に伝達し、一方、前記入力部への前記第二の入力によって前記案内部から離間して前記第二の入力を前記案内部に伝達せず前記物体の上下方向の移動を許容する伝達部と、を特徴とする。
【０００９】
このように構成された本発明の吊り下げ装置によれば、次のような作用効果を奏する。
すなわち、入力部へ第二の入力が入力されると、伝達部が、第二の入力によって案内部から離間して、第二の入力を案内部に伝達せず、物体の上下方向の移動を許容する。つまり、重量物が上下動可能な状態となる。このとき、物体の重量と付勢部による付勢力とが均衡するまで物体が案内部に案内されて上下動する。
【００１０】
なお、物体を下降させるには、入力部へ第一の入力が入力されると、伝達部が、入力部への第一の入力によって案内部に係合して第一の入力を物体を下降させる力として案内部に伝達する。したがって、物体を下降させることができる。
【００１１】
また、入力部へ第一の入力が入力されると、伝達部が、入力部への第一の入力によって案内部に係合して物体の上昇を阻止する。このとき、付勢部が物体を上昇させる付勢力を案内部に入力しているので、物体をその位置で停止させることができる。なお、この位置から物体を上昇させるには第二の入力を入力部へ入力すればよく、下降させるには第一の入力を入力部へ入力すればよい。
【００１２】
したがって、本発明の吊り下げ装置によれば、電動機を備えなくとも、電動機を備えるホイスト装置の特徴である重量物の上下動および任意位置での停止を可能とすることができる。
【００１３】
請求項２に係る吊り下げ装置は、請求項１に記載の吊り下げ装置において、前記案内部は、前記物体を吊り下げ可能なロープが巻回され、前記ロープを引き出す前記引出方向および前記ロープを巻き取る巻取方向へ回転可能なドラムを有し、前記付勢部は、前記巻取方向へ前記ドラムを付勢して回転させることで前記物体を上昇させる付勢力を発揮し、前記伝達部は、前記入力部への前記第一の入力によって前記ドラムに係合して前記ドラムの前記巻取方向への回転を阻止するとともに前記第一の入力を前記ドラムを前記引出方向へ回転させる力として前記ドラムに伝達し、前記入力部への前記第二の入力によって前記ドラムから離間して前記第一の入力を前記ドラムに伝達せず前記ドラムの前記引出方向への回転および前記巻取方向への回転を許容することを特徴とする。
【００１４】
このように構成された本発明の吊り下げ装置によれば、案内部が物体を吊り下げ可能なロープをドラムに巻回する構成となり、例えば案内部が物体を吊り下げ可能なフックを直線状のレールで上下方向に案内する構成である場合に比べて、案内部の上下方向の長さ寸法を小さくできるなど案内部がコンパクトとなり、装置の設置に有利となる。
【００１５】
請求項３に係る吊り下げ装置は、請求項１または請求項２の何れか１項に記載の吊り下げ装置において、前記入力部は、回転可能であり、前記第一の入力が一方の方向への回転として入力されるとともに前記第二の入力が他方の方向への回転として入力されることを特徴とする。
【００１６】
このように構成された本発明の吊り下げ装置によれば、入力部が回転可能な構成となるので、例えば入力部が上下方向に移動する構成である場合に比べて、入力部の上下方向の長さ寸法を小さくできるなど入力部がコンパクトになり、装置の設置に有利である。
【００１７】
また、例えば入力部に取り付けたプーリをボールチェーンなどで回転させるようにすれば、操作性も良い。
請求項４に係る吊り下げ装置は、請求項１〜請求項３の何れか１項に記載の吊り下げ装置において、前記伝達部は、前記第一の入力を所定の比率で減速して前記案内部に伝達する入力減速部を有することを特徴とする。
【００１８】
このように構成された本発明の吊り下げ装置によれば、小さい入力で物体を下降させることができるので、利用者の負担を更に軽減することができる。
請求項５に係る吊り下げ装置は、請求項１〜請求項４の何れか１項に記載の吊り下げ装置において、前記物体の上昇速度が大きくなると制動力を発揮して減速させる遠心式ブレーキを備えることを特徴とする。
【００１９】
このように構成された本発明の吊り下げ装置によれば、付勢部の付勢力によって物体が勢い良く上昇することがなくなり、当該吊り下げ装置や周囲の構造物に衝突するなど物体に衝撃が加わって破損することを防ぐことができる。
【図面の簡単な説明】
【００２０】
【図１】吊り下げ装置１を正面から見た外観図である。
【図２】図１におけるＡＡ断面図である。
【図３】吊り下げ装置１の外部入力機構６０を示す概略構成図（１）である。
【図４】吊り下げ装置１の外部入力機構６０を示す概略構成図（２）である。
【発明を実施するための形態】
【００２１】
以下に本発明の実施形態を図面とともに説明する。なお、本発明は下記実施形態に限定されるものではなく、様々な態様にて実施することが可能である。
［１．吊り下げ装置１の構成の説明］
図１に示すように、本実施形態の吊り下げ装置１は、ケース１０内にて、固定軸２０の軸回りに回転可能なドラム３０にワイヤーロープ４０を巻回するとともにぜんまいばね５０（図１では省略、図２参照）でバランス用回転力を与え、ワイヤーロープ４０の端部４１に吊り下げた自動車用ドアなどの物体（以下、自動車用ドアＳ、図３および図４で図示）を任意の位置に停止できるように構成されている。また、吊り下げ装置１は、外部入力をドラム３０に伝達する構成である外部入力機構６０を内蔵している（図３および図４参照）。
【００２２】
以下、吊り下げ装置１の構成を順に説明する。
［１．１．ケース１０の構成の説明］
ケース１０は、ケース本体１１、蓋部１２、フック１４、などで構成される。このうちケース本体１１は、その一部が開口する箱形状に形成されている。一方、蓋部１２は、その一部が開口するとともにその内部に空間が形成された箱形状に形成され、ケース本体１１の開口部を塞ぐことが可能である。なお、蓋部１２はビス（図示省略）によってケース本体１１に固定されている。
【００２３】
また、ケース１０の上部には、吊り下げ装置１を吊り下げるための鉤状のフック１４が回動可能に取り付けられている。
また、ケース１０の上部には、吊り下げ装置１の落下防止用の補助孔１５がケース本体１１および蓋１２を貫通するよう形成されている。
【００２４】
さらに、蓋部１２の下面には、ワイヤーロープ４０を挿通するための長孔状の開口部１２ａが下方に向けて形成されている。この開口部１２ａにはワイヤーロープ４０が挿通される。
【００２５】
［１．２．固定軸２０の構成の説明］
また、図２に示すように、ケース本体１１の底部１１ｆの中央部には、円柱状の固定軸２０がケース本体１１の底部１１ｆに対して垂直な姿勢で取り付けられている。
【００２６】
［１．３．ドラム３０、ワイヤーロープ４０およびぜんまいばね５０の構成の説明］
また、ケース１０の内部では、固定軸２０の中央部２０ｄにドラム３０が回転可能に支持されている。具体的には、ドラム３０は略円錐台形状に形成され、蓋部１２の円錐台形に形成された部分に沿うようにケース１０の内部に収納され、固定軸２０の中央部２０ｄに回転可能に取り付けられている。
【００２７】
また、ドラム３０の周面３０ａには螺旋状の溝３０ｂが正面から見て（ケース１０の蓋部１２側から見て）右巻きに形成されている。この溝３０ｂの外端部（図示省略）にはワイヤーロープ４０の一方の端部に取り付けられたエンド（図示省略）が引っ掛けられ、溝３０ｂにはワイヤーロープ４０が巻回されている。そして、上述のように溝３０ｂに巻回されるワイヤーロープ４０の他方の端部４１は、ケース１０の蓋部１２に形成された長孔状の開口部１２ａ（図１参照）に挿通される。
【００２８】
なお、ワイヤーロープ４０の他方の端部（図示省略）には、自動車用ドアＳを吊り下げるための取付金具が取り付けられている（図１参照）。
また、ドラム３０の周面３０ａは、ぜんまいばね５０のばね定数に相応した傾斜になっており、ワイヤーロープ４０が繰り出されてぜんまい５０のばね力が強くなったとき、ワイヤーロープ４０の巻回されている箇所の半径が大きくなって、自動車用ドアＳのどの昇降位置においても、ぜんまいばね５０のばね力によるドラム３０に対するトルクと、自動車用ドアＳの重力によるドラム３０に対するトルクとがバランスするようになっている。
【００２９】
また、ドラム３０の内部には空間が形成されており、ドラム３０の後側には円形の開口部３０ｃが形成されている。そして、ドラム３０の内部には、ぜんまいばね５０が内装されている。このぜんまいばね５０は、薄板状のばね材を渦巻き状に巻いた構成を有している。そして、ぜんまいばね５０は、正面から見て左巻きとなる状態で、内端部が固定軸２０の中央部２０ｄに接続されるとともに外端部がドラム３０に接続されており、ドラム３０をワイヤーロープ４０を巻き取る方向である巻取方向に付勢して、自動車用ドアＳとバランスするばね力を有している。
【００３０】
［１．４．外部入力機構６０の構成の説明］
また、ケース１０の内部では、固定軸２０の後端付近に外部入力機構６０が取り付けられている。
【００３１】
具体的には、外部入力機構６０は、図３に示すように、外部入力をドラム３０に伝達する構成であり、入力軸６１と、入力軸側歯車６２と、ドラム側歯車６３と、太陽歯車６４と、遊星歯車６５と、減速歯車６６と、から構成される。
【００３２】
入力軸６１は、中心軸が固定軸２０およびドラム３０の回転軸と平行な姿勢でケース１０に回転可能に支持されている。
なお、入力軸６１を回転させる方法として、例えば入力軸６１の先端に、ケース１０の外部でプーリ（図示省略）を取り付け、プーリに係合させたボールチェーン（図示省略）などを操作することが考えられる。このようにすれば、小さな力で入力軸６１を回転させることができる。また、このようにボールチェーンを採用することで、作業者の手の届かない高所への取り付けが可能となる。
【００３３】
なお、以下の説明では、入力軸６１を回転させる構成として上述のプーリおよびボールチェーンを用いた例を挙げる。プーリおよびボールチェーンの図示は省略する。
入力軸側歯車６２は、入力軸６１に取り付けられ、入力軸６１と一体回転するようになっている。
【００３４】
ドラム側歯車６３は、ドラム３０の回転軸と同軸上でドラム３０の裏側に取り付けられ、ドラム３０と一体回転するようになっている。なお、ドラム側歯車６３の歯数は、入力軸側歯車６２の歯数に対して所定の比率で大きく設定されており、入力軸６１および入力軸側歯車６２の回転に対する減速効果を発揮することができる。
【００３５】
太陽歯車６４は、入力軸側歯車６２に噛合され、ケース１０に回転可能に支持されている。
遊星歯車６５は、太陽歯車６４に噛合され、太陽歯車６４の廻りに公転可能に支持されている。また、遊星歯車６５には、公知のワンウェイクラッチが内蔵されており、反時計回りには回転するが時計回りには回転しないようになっている。
【００３６】
そして、遊星歯車６５は、太陽歯車６４が時計回りに回転すると、太陽歯車６４の廻りを時計回りに公転して減速歯車６６に当接して噛合し、それ以降は反時計回りに回転する。また、遊星歯車６５は、太陽歯車６４が反時計回りに回転すると、太陽歯車６４の廻りを反時計回りに公転することで減速歯車６６から離間して、減速歯車６６との噛合が解消される。
【００３７】
減速歯車６６は、ドラム側歯車６３に噛合され、ケース１０に回転可能に支持されている。なお、減速歯車６６の歯数は、遊星歯車６５の歯数に対して所定の比率で大きく設定されており、遊星歯車６５の回転に対する減速効果を発揮することができる。また、減速歯車６６には、公知の遠心式ブレーキ６６ａが内蔵されており、減速歯車６６の回転速度が大きくなると制動力を発揮して減速歯車６６の回転速度を減速させるようになっている。
【００３８】
なお、本実施形態では、ドラム３０およびワイヤーロープ４０が案内部に相当し、入力軸６１が特許請求の範囲の入力部に相当し、入力軸側歯車６２、ドラム側歯車６３、太陽歯車６４、遊星歯車６５および減速歯車６６が特許請求の範囲の伝達部に相当する。
【００３９】
［２．吊り下げ装置１の動作の説明］
次に、吊り下げ装置１の動作について説明する。
（１）吊り下げ装置１の設置
図１に示す吊り下げ装置１を使用するには、吊り下げ装置１をフック１４や天井や壁などに吊り下げる。このとき、落下防止用の補助孔１５を用いて、天井や壁などにワイヤーなどで取り付けておくとよい。
【００４０】
（２）自動車用ドアＳの取り付け
続いて、吊り下げ装置１に自動車用ドアＳを吊り下げる。具体的には、自動車用ドアＳに専用の取付金具（図示省略）を用いて自動車用ドアＳをワイヤーロープ４０の端部４１に取り付けて吊り下げると、自動車用ドアＳの自重によってワイヤーロープ４０が引かれ、ワイヤーロープ４０が引き出される引出方向へドラム３０が回転する。ドラム３０が引出方向に回転すると、これに伴ってぜんまいばね５０が巻き締まっていく（ぜんまいばね５０については図２を参照）。そして、自動車用ドアＳの自重によるドラム３０の引出方向への回転力と、ぜんまいばね５０のばね力とがバランスすると、ドラム３０の引出方向への回転が停止する。
【００４１】
なお、吊り下げ装置１が高所に設置されている場合には、入力軸６１の先端に取り付けられたボールチェーンを操作して入力軸６１を反時計回りに回転させると、入力軸６１に取り付けられた入力軸側歯車６２が入力軸６１とともに反時計回りに回転するとともに、入力軸側歯車６２に噛合する太陽歯車６４が時計回りに回転し、太陽歯車６４に噛合する遊星歯車６５が太陽歯車６４の廻りを時計回りに公転して減速歯車６６に当接して噛合し（図３参照）、以降は反時計回りに回転する。そして、遊星歯車６５に噛合する減速歯車６６が時計回りに回転するとともに、減速歯車６６に噛合するドラム側歯車６３が反時計回りに回転し、ドラム側歯車６３が取り付けられるドラム３０も反時計回りに回転して、ワイヤーロープ４０がドラム３０から引き出される。
【００４２】
ワイヤーロープ４０の端部４１および取付金具が所望の位置になったら、ボールチェーンの操作を止めて入力軸６１への回転入力を停止し、自動車用ドアＳを吊り下げる。
なお、遊星歯車６５にはワンウェイクラッチが内蔵されており、遊星歯車６５が時計回りに回転しないようになっているため、減速歯車６６が反時計回りへ回転せず、ドラム側歯車６３およびドラム３０も時計回りへ回転しない。このため、遊星歯車６５が減速歯車６６に噛み合っている間は、ワイヤーロープ４０がドラム３０に巻き取られず、ワイヤーロープ４０の下端の取付金具４１に取り付けられた自動車用ドアＳが急に上昇することはない。
【００４３】
（３）自動車用ドアＳの停止
ここで、自動車用ドアＳを現在の位置に停止させておくには、遊星歯車６５が減速歯車６６に噛合されていれば、入力軸６１の反時計回りへの回転を停止することで、自動車用ドアＳを現在の位置に停止させておくことができる。
【００４４】
一方、遊星歯車６５が減速歯車６６に噛合していない場合には、上述のように入力軸６１の先端に取り付けられたボールチェーンを操作して入力軸６１を反時計回りに回転させることで、遊星歯車６５を太陽歯車６４の廻りを時計回りに公転させて減速歯車６６に噛合させる（図３参照）。そして、入力軸６１の反時計回りへの回転を停止すれば、自動車用ドアＳを現在の位置に停止させておくことができる。
【００４５】
（４）自動車用ドアＳの上昇
また、ワイヤーロープ４０の端部４１に取付金具を用いて取り付けられた自動車用ドアＳを上昇させることが可能な状態にするためには、ぜんまいばね５０のばね力が自動車用ドアＳの重量よりも大きい状態であることが前提となるが、入力軸６１の先端に取り付けられたボールチェーンを操作して入力軸６１を時計回りに回転させると、入力軸６１に取り付けられた入力軸側歯車６２が入力軸６１とともに時計回りに回転するとともに、入力軸側歯車６２に噛合する太陽歯車６４が反時計回りに回転し、太陽歯車６４に噛合する遊星歯車６５が太陽歯車６４の廻りを反時計回りに公転して減速歯車６６から離間し（図４参照）、減速歯車６６との噛合が解消される。すると、減速歯車６６が反時計回りへ回転可能となり、ドラム側歯車６３およびドラム３０も時計回りへ回転可能となるので、ぜんまいばね５０の付勢力によってドラム３０が時計回りに回転して、ワイヤーロープ４０がドラム３０に巻き取られ、ワイヤーロープ４０の端部４１に取付金具を用いて取り付けられた自動車用ドアＳが上昇することが可能となる。
【００４６】
（５）自動車用ドアＳの下降
自動車用ドアＳを下方に移動させるには、自動車用ドアＳに手が届く場合には、吊り下げられた自動車用ドアＳを下方へ引き下げればよい。
【００４７】
このとき、ワイヤーロープ４０が引かれ、ワイヤーロープ４０が引き出される引出方向へドラム３０が回転する。また、ドラム３０が引出方向に回転するに従ってぜんまいばね５０が巻き締まっていき、ぜんまいばね５０がドラム３０を巻取方向に回転させようとする付勢力が増加する。よって、自動車用ドアＳを引き下げる力を弱めると、ぜんまいばね５０による付勢力によってドラム３０が巻取方向へ回転し、自動車用ドアＳの自重とバランスするまでワイヤーロープ４０がドラム３０に巻き取られ、自動車用ドアＳが上昇する。
【００４８】
なお、減速歯車６６には、公知の遠心式ブレーキ６６ａが内蔵されており、減速歯車６６の回転数が大きくなると制動力を発揮して減速歯車６６の回転を減速させるので、ワイヤーロープ４０がドラム３０に巻き取られる回転速度が低減され、ワイヤーロープ４０の下端の取付金具４１に取り付けられた自動車用ドアＳが上昇する速度も低減される。
【００４９】
一方、自動車用ドアＳに手が届かない場合には、上述のように入力軸６１の先端に取り付けられたボールチェーンを操作して入力軸６１を反時計回りに回転させることで、遊星歯車６５を太陽歯車６４の廻りを時計回りに公転させて減速歯車６６に噛合させる（図３参照）。そして、更にボールチェーンを操作して入力軸６１を反時計回りに回転させることで、ドラム３０が反時計回りに回転してワイヤーロープ４０がドラム３０から引き出され、自動車用ドアＳが下降する。このとき、ドラム３０が引出方向に回転するに従ってぜんまいばね５０が巻き締まっていき、ぜんまいばね５０がドラム３０を巻取方向に回転させようとする付勢力が増加する。
【００５０】
なお、遊星歯車６５が減速歯車６６に噛合しているので、自動車用ドアＳから手を離してもドラム３０が巻取方向には回転しない。
（６）自動車用ドアＳの取り外し
自動車用ドアＳを取り外すと、遊星歯車６５が減速歯車６６に噛合していない場合には、ぜんまいばね５０による付勢力によってドラム３０が巻取方向へ急激に回転することになるが、上述の減速歯車６６に内蔵される遠心式ブレーキ６６ａの作用により、減速歯車６６の回転数が大きくなると制動力を発揮して減速歯車６６の回転速度を減速させるので（図４参照）、ワイヤーロープ４０がドラム３０に巻き取られる回転速度が制限される。
【００５１】
一方、遊星歯車６５が減速歯車６６に噛合している場合には、自動車用ドアＳを取り外しても、ドラム３０が巻取方向には回転しない。
［３．実施形態の効果］
（１）このように本実施形態の吊り下げ装置１によれば、吊り下げた自動車用ドアＳの上下動および任意位置での停止が可能であるので、電動機を備えなくとも、電動機を備えるホイスト装置の特徴である重量物の上下動および任意位置での停止を可能とすることができる。
【００５２】
（２）また、本実施形態の吊り下げ装置１によれば、自動車用ドアＳを吊り下げ可能なワイヤーロープ４０をドラム３０に巻回する構成となり、例えば物体を吊り下げ可能なフックを直線状のレールで上下方向に案内する構成に比べて、当該吊り下げ装置１の上下方向の長さ寸法を小さくできるなど当該吊り下げ装置１がコンパクトとなり、当該吊り下げ装置１の設置に有利となる。
【００５３】
（３）また、本実施形態の吊り下げ装置１によれば、入力部に相当する外部入力機構６０の入力軸６１が回転可能な構成となるので、例えば入力部が上下方向に移動する構成である場合に比べて、外部入力機構６０の上下方向の長さ寸法を小さくできるなど外部入力機構６０がコンパクトになり、当該吊り下げ装置１の設置に有利である。
【００５４】
また、例えば外部入力機構６０の入力軸６１に取り付けたプーリをボールチェーンなどで回転させるようにすれば、操作性も良い。
（４）また、本実施形態の吊り下げ装置１によれば、外部入力機構６０においてドラム側歯車６３の歯数が入力軸側歯車６２の歯数に対して所定の比率で大きく設定されているので、入力軸６１および入力軸側歯車６２の回転に対する減速効果を発揮することができ、小さい入力で自動車用ドアＳを下降させることができ、利用者の負担を更に軽減することができる。
【００５５】
（５）また、本実施形態の吊り下げ装置１によれば、外部入力機構６０において減速歯車６６の歯数が遊星歯車６５の歯数に対して所定の比率で大きく設定されているので、遊星歯車６５の回転に対する減速効果を発揮することができ、小さい入力で自動車用ドアＳを下降させることができ、利用者の負担を更に軽減することができる。
【００５６】
（６）また、本実施形態の吊り下げ装置１によれば、外部入力機構６０の減速歯車６６に遠心式ブレーキ６６ａが内蔵されており、減速歯車６６の回転速度が大きくなると制動力を発揮して減速歯車６６の回転速度を減速させるので、ぜんまいばね５０の付勢力によって自動車用ドアＳが勢い良く上昇することがなくなり、当該吊り下げ装置１や周囲の構造物に衝突するなど自動車用ドアＳに衝撃が加わって破損することを防ぐことができる。
【００５７】
（７）また、本実施形態の吊り下げ装置１によれば、ドラム３０の大きさやワイヤーロープ４０の強度、ぜんまいばね５０のばね定数の設定内容を変更することにより自動車用ドアＳだけでなく様々な重量物や作業工具といった比較的軽量の物体を吊り下げることができる。
【符号の説明】
【００５８】
１…吊り下げ装置、１０…ケース、１１…ケース本体、１２…蓋部、１４…フック、１５…補助孔、２０…固定軸、３０…ドラム、４０…ワイヤーロープ、５０…ぜんまいばね、６０…外部入力機構、６１…入力軸、６２…入力軸側歯車、６３…ドラム側歯車、６４…太陽歯車、６５…遊星歯車、６６…減速歯車、６６ａ…遠心式ブレーキ、Ｓ…自動車用ドア
【図１】
0005717492.tif 000002
【図２】
0005717492.tif 000003
【図３】
0005717492.tif 000004
【図４】
0005717492.tif 000005